(57)【要約】【課題】低コストでかつコンフィグレーション作業性を向上することができるケーブル保持装置を実現する。【解決手段】スロット２１を閉塞することができる蓋体１１に、リブ１２及びクランプ部１３を備えたことにより、ケーブル３１及び３２を保持させることができる。これにより、スロット２１に通信モジュール４１が未装着の状態において、ケーブル３１及び３２の位置を規定することができるので、ケーブル３１及び３２をスロット２１内の所定の位置に保持させる部品（従来構成における粘着テープ）が不要となるため、コストダウンを図ることができる。また、蓋体１１を開くのに伴ってケーブル３１及び３２が第１の筐体１内から引き出されるため、ケーブル３１及び３２を蓋体１１から離脱させて通信モジュール４１に接続する際の作業性を向上させることができる。【選択図】図４Ａ
2010079556.tif 000002
【特許請求の範囲】
【請求項１】
電気回路基板を内蔵した筐体と、
前記筐体における、電気部品を装着可能な部品装着部近傍に形成された開口部と、
前記開口部を開閉する蓋体とを備え、
前記蓋体は、前記電気回路基板と前記電気部品とを電気的に接続するケーブルを保持可能なクランプ部を一体的に備えた、電子機器。
【請求項２】
前記蓋体において前記開口部を閉塞している時に前記筐体の内側を向く面を内面としたとき、前記クランプ部は前記内面に形成されている、請求項１記載の電子機器。
【発明の詳細な説明】
【技術分野】
【０００１】
本発明は、ケーブルを蓋体に保持することができる電子機器に関する。
【背景技術】
【０００２】
近年、ノートパソコンなどの電子機器は、例えば無線ＬＡＮ（Local Area Network）などのネットワーク網を介したデータ通信が可能なように通信モジュールを搭載していることが多い。また、電子機器には、各国や地域毎に異なる仕様の通信モジュールを搭載する必要がある。
【０００３】
上記のような通信モジュールは、一般的に、電子機器の筐体外面に形成された凹部内に実装されたコネクタに装着されることが多い。電子機器の一種であるノートパソコンでは、中央演算処理装置（ＣＰＵ）などを内蔵した筐体の裏面に、通信モジュールを装着するための凹状のスロットを備えており、そのスロット内に通信モジュールに接続可能なケーブルが配線されている。ノートパソコンの製造者は、スロットに通信モジュールを搭載していない状態でかつケーブルを粘着テープでスロット内の適切な場所に貼着した状態で、仕向地へ輸出している。仕向地においては、まず粘着テープを剥離してケーブルを解放し、スロットに通信モジュールを装着後、ケーブルの端部に配された端子を通信モジュールにおける所定の端子に差し込む作業を行うことにより、コンフィグレーションを行っていた。
【０００４】
上記のように、通信モジュールから延在したケーブルを筐体等に固定する技術は、例えば特許文献１に開示されている。特許文献１には、一面を筐体に固定され、筐体に対する固定箇所に対向する位置に開口端を備え、この開口端からワンタッチ式に複数の配線を収納する弾性リング部材が開示されている。
【特許文献１】実開平０６−０５０３９１号公報
【発明の開示】
【発明が解決しようとする課題】
【０００５】
しかしながら、特許文献１で提案されている弾性リング部材では、収納したケーブルはその長手方向に対しては何等工夫されていないため、ケーブルの端子近傍を収納した場合に端子が弾性リング部材から外れてしまうという課題があった。
【０００６】
また、この課題に対して、例えば上記したように粘着テープでケーブルを貼着する構成が考えられるが、最終的に必要のないケーブル固定用の粘着テープ（紙テープ）が必要であるため、部品点数が増加してコストアップにつながっていた。また、粘着テープによるケーブルの固定場所は、電子機器の筐体内側に止めざるを得ない場合があり、作業性にも問題があった。
【０００７】
また、粘着テープの取り外し性を考えるあまり、弱粘着性の粘着テープを使用すると、電子機器の運送途中において電子機器に伝わる振動により粘着テープが剥がれてしまい、ケーブルが筺体内部へと移動してしまうこともあった。ケーブルが筐体内部へ移動してしまうと、通信モジュールを装着する際に筐体内部からケーブルを引き出す作業が必要となり、非常に煩雑であった。
【０００８】
本発明は、低コストでかつコンフィグレーションの作業性を向上することができる電子機器を実現することを目的とする。
【課題を解決するための手段】
【０００９】
本発明の電子機器は、電気回路基板を内蔵した筐体と、前記筐体における、電気部品を装着可能な部品装着部近傍に形成された開口部と、前記開口部を開閉する蓋体とを備え、前記蓋体は、前記電気回路基板と前記電気部品とを電気的に接続するケーブルを保持可能なクランプ部を一体的に備えたものである。
【発明の効果】
【００１０】
本発明によれば、ケーブル固定のための粘着テープが不要となるため、低コストでかつコンフィグレーションの作業性の向上を実現することができる。
【発明を実施するための最良の形態】
【００１１】
本発明の電子機器は、前記蓋体において前記開口部を閉塞している時に前記筐体の内側を向く面を内面としたとき、前記クランプ部は前記内面に形成されている構成とすることができる。このような構成とすることで、開口部を開放する状態に蓋体を移行させた時、ケーブルが開口部外に露出するため、使用者はケーブルを掴みやすくなる。よって、ケーブルをクランプ部から取り外す際の作業性を向上させることができる。
【００１２】
（実施の形態）
図１は、本実施の形態の電子機器の外観を示す斜視図であり、電子機器の一例であるノートパソコンの第１の状態を示す。なお、本実施の形態では、電子機器の一例としてノートパソコンを挙げたが、携帯電話端末や携帯型ゲーム機などのように各種モジュールを装着可能なスロットを備えた電子機器であればよい。
【００１３】
図１に示すように、ノートパソコンは、各種電気素子が実装された回路基板及び情報処理回路やハードディスクドライブなどを内蔵した第１の筐体１と、液晶ディスプレイ２ａを備えた第２の筐体２とから構成されている。第１の筐体１と第２の筐体２とは、ヒンジ部３によって互いに回動自在に支持されている。第２の筐体２を、図１に示す位置（第１の状態）から矢印Ａに示す方向へ回動させることで、液晶ディスプレイ２ａとキーボード５とが近接対向した第２の状態へ移行させることができる。また、第２の状態において第２の筐体２と対向する第１の筐体１の面を上側とすると、第１の筐体１の上面１ａには、各種文字の入力操作が可能なキーボード５と、液晶ディスプレイ２ａに表示されるカーソルを所望の位置へ移動する操作が可能なポインティングデバイス６とを備えている。なお、キーボード５やハードディスクドライブなどから入出力された情報信号は、情報処理回路で所定の処理を施し、例えば液晶ディスプレイ２ａで表示する表示信号などに変換される。
【００１４】
図２は、第１の筐体１の下面１ｂ側の構成を示す平面図である。なお、下面１ｂは、上面１ａに対向する第１の筐体１の裏面である。図２に示すように、下面１ｂには通信モジュール４１（後述）を装着可能なスロット２１を閉塞する蓋体１１が配されている。蓋体１１は、ネジ５１で第１の筐体１に螺結されている。
【００１５】
図３は、蓋体１１の裏面側の斜視図を示す。図３に示すように、蓋体１１は、略平板状に形成され、その裏面（すなわち、蓋体１１における第１の筐体１の内部側）１１ｂにはリブ１２が一体形成されている。なお、蓋体１１において、表面１１ａは図２に示すように第１の筐体１におけるスロットを閉塞する位置に装着された状態で下面１ｂと同一方向を向く面であり、裏面１１ｂは表面１１ａの裏面である。リブ１２は、蓋体１１における長手方向の一方の端部近傍に形成されている。また、リブ１２は、裏面１１ｂと同一方向を向く面にクランプ部１３が一体形成されている。クランプ部１３は、少なくともケーブル（後述）を挟持可能な幅寸法を有する空隙を挟んで、リブ１２に対向する部分を有する。また、蓋体１１の長手方向の他方の端部近傍には、ネジ５１（図２参照）を挿通可能な孔部１４が形成されている。
【００１６】
図４Ａは、蓋体１１がケーブル３１及び３２により第１の筐体１に保持されている状態を示す要部斜視図である。図４Ｂは、図４ＡにおけるＹ−Ｙ部の断面図である。図４Ａに示す状態は、蓋体１１がスロット２１を開放している状態である。また、図４Ａに示す状態は、スロット２１に通信モジュール４１（後述）が装着されていない状態である。
【００１７】
スロット２１は、第１の筐体１の下面１ｂに凹状に形成され、その開口部２２内に配されたプリント基板にコネクタ２３が実装されている。コネクタ２３は、通信モジュール４１に搭載されたピン４４（後述）を接続可能である。また、コネクタ２３は、スロット２１の長手方向の一方の端部近傍に配されている。また、スロット２１の長手方向の他方の端部近傍には、２本のケーブル３１及び３２が配線されている。また、スロット２１は、その長手方向の一方の端部近傍にネジ５１（図２等参照）を螺合可能なネジ穴２４が形成されている。
【００１８】
ケーブル３１及び３２は、蓋体１１の裏面１１ｂに形成されたリブ１２とクランプ部１３との間に挟持されている。ケーブル３１の先端には、端子３１ａが接続されている。また、ケーブル３２の先端には、端子３２ａが接続されている。また、図４Ｂに示すように、リブ１２とクランプ部１３との空隙の幅寸法Ｗ１は、少なくともケーブル３１及び３２をリブ１２とクランプ部１３との間に位置させることができる寸法であればよいが、ケーブル３１及び３２の外径（Ｒ１またはＲ２）未満であることが好ましい。幅寸法Ｗ１をケーブル３１及び３２の外径（Ｒ１またはＲ２）未満とすることで、リブ１２とクランプ部１３との間にケーブル３１及び３２を挟み込む際、ケーブル３１及び３２を被覆しているビニールカバーを圧縮変形させて挟み込むことができるので、ケーブル３１及び３２をリブ１２とクランプ部１３との間に確実に保持することができる。また、リブ１２および／またはクランプ部１３を可撓性を有する材料で形成し、リブ１２とクランプ部１３との空隙の幅寸法Ｗ１をケーブル３１の外径Ｒ１及びケーブル３２の外径Ｒ２未満とすることで、リブ１２とクランプ部１３との間にケーブル３１及び３２を挟み込む際、リブ１２および／またはクランプ部１３が弾性変形してその復元力によりケーブル３１及び３２を確実に保持することができる。また、クランプ部１３の幅寸法Ｗ２は、少なくともケーブル３１及び３２を保持できる幅寸法であればよいが、ケーブル３１の外径Ｒ１とケーブル３２の外径Ｒ２との和Ｒ以上であることが好ましい。幅寸法Ｗ２をケーブル３１及び３２の外径の和Ｒ以上とすることで、リブ１２とクランプ部１３との間に挟持させたケーブル３１及び３２が、第１の筐体１に対して外部から加わる振動などにより矢印ＢまたはＣに示す方向に多少変位したとしても、蓋体１１から容易に離脱しないように保持することができる。また、寸法Ｗ２は、少なくともケーブル３１及び３２を挟持することができれば、ケーブル３１及び３２の外径の和Ｒ未満であってもよい。また、寸法Ｗ２は、リブ１２とクランプ部１３との間に挟持させるケーブルの本数に応じて適宜設定することができるため、ケーブルの本数は本実施の形態のように２本に限らない。
【００１９】
以下、通信モジュール４１の装着動作について説明する。
【００２０】
図５Ａ〜図５Ｅは、スロット２１に通信モジュール４１を装着する際の手順を示す図であり、図２におけるＺ−Ｚ部の要部断面図を示す。
【００２１】
まず、図５Ａは、通信モジュール４１が未装着でかつ蓋体１１がスロット２１を閉塞している状態を示す。この状態では、ケーブル３１及び３２（図５Ａ〜図５Ｅではケーブル３２のみ図示）は、蓋体１１におけるリブ１２とクランプ部１３との間に挟持されている。また、蓋体１１は、一方の端部近傍においてネジ５１が孔部１４を介してネジ穴２４に螺合し、他方の端部近傍においてリブ１２が第１の筐体１の内面１ｃ（下面１ｂの内側の面）に当接していることにより、スロット２１を閉塞している状態を保持することができる。
【００２２】
蓋体１１を開く際は、ネジ５１を取り外し、蓋体１１の一方の端部側を矢印Ｄに示す方向へ変位させ、矢印Ｅに示す方向へスライドさせる。これにより、図５Ｂに示すようにリブ１２を第１の筐体１から離脱させることができる。この時、ケーブル３１及び３２は、蓋体１１に保持されたままであるため、蓋体１１はケーブル３１及び３２によって第１の筐体１に保持されている状態である。また、蓋体１１の矢印Ｄ及び矢印Ｅに示す方向への移動動作に伴って、ケーブル３１及び３２も移動する。また、図５Ｂに示す状態から、蓋体１１を矢印Ｇに示す方向へ変位させて、スロット２１を大きく開口させることにより、通信モジュール４１をスロット２１内に装着しやすくなり、作業性を向上させることができる（蓋体１１を矢印Ｇに示す方向へ変位させ、スロット２１を大きく開口させた状態は、例えば図４Ａに示す状態である）。
【００２３】
次に、図５Ｃに示すように、スロット２１内の所定の位置に通信モジュール４１を装着する。通信モジュール４１は、基板４２上に、ピン４４を備えたチップ４３と端子４５とが実装されて構成されている。端子４５は、ケーブルの本数分備わり、本実施の形態では２つの端子を備えている。具体的な通信モジュール４１の装着方法は、電気回路基板５２に実装されたコネクタ２３の開口部に、ピン４４を挿入する。これにより、コネクタ２３内に配された接触子とピン４４とが電気的に接続され、通信モジュール４１はコネクタ２３に機械的に結合する。なお、この時、ケーブル３１及び３２は、蓋体１１に保持されたままである。
【００２４】
次に、図５Ｄに示すように、ケーブル３１及び３２を蓋体１１から離脱させ、凹状の接続部を有する端子３１ａ及び３２ａ（図５Ｄでは端子３２ａのみ図示）を、凸状の接続部を有する端子４５に嵌合させて、両者を電気的及び機械的に接続する。ケーブル３１及び３２を蓋体１１から離脱させる際は、図４Ａの矢印Ｆ（または図４Ｂの矢印Ｃに示す方向）に示す方向にケーブル３１及び３２を変位させることにより、蓋体１１から離脱させることができる。また、ケーブル３１及び３２を蓋体１１から離脱させる際は、蓋体１１を図４Ａに示すように裏面１１ｂが目視可能な状態になるまで開くことで、クランプ部１３に保持されたケーブル３１及び３２に使用者の指が届きやすくなるため、ケーブル３１及び３２を蓋体１１から取り外しやすくなる。
【００２５】
次に、蓋体１１を矢印Ｈに示す方向へ移動させ、リブ１２を第１の筐体１の内面１ｃに当接する位置へ移動させる。次に、ネジ５１を、孔部１４に挿通させてネジ穴２４に螺合させることにより、図５Ｅに示すように蓋体１１でスロット２１を閉塞した状態で、蓋体１１を第１の筐体１に固定することができる。
【００２６】
以上のように本実施の形態によれば、スロット２１を閉塞することができる蓋体１１に、リブ１２及びクランプ部１３を備えたことにより、ケーブル３１及び３２を保持させることができる。これにより、スロット２１に通信モジュール４１が未装着の状態において、ケーブル３１及び３２の位置を仮固定することができるので、ケーブル３１及び３２をスロット２１内の所定の位置に保持させる部品（従来構成における粘着テープ）が不要となり、コストダウンを図ることができる。また、粘着テープが不要となるため、コンフィグレーションの作業を行う際に廃棄物が生じない（粘着テープで固定する構成では、通信モジュール装着後に粘着テープを廃棄する必要があった）。
【００２７】
また、ケーブル３１及び３２を蓋体１１に保持する構成とすることにより、蓋体１１を開くのに伴ってケーブル３１及び３２が第１の筐体１内から引き出されるため、ケーブル３１及び３２を蓋体１１から離脱させて通信モジュール４１に接続する際の作業性を向上させることができる。すなわち、蓋体１１を開くことで、ケーブル３１及び３２が使用者の指で掴みやすい位置まで引き出されるため、作業性を向上させることができる。
【００２８】
また、蓋体１１を第１の筐体１に保持させるためのリブ１２に、ケーブル３１及び３２を保持するためのクランプ部１３を備えたことにより、部品点数を増加させることなく、低コストに実現することができる。
【００２９】
なお、本実施の形態では、通信モジュール４１のコンフィグレーションに関する構成を一例として挙げて説明したが、少なくとも凹状のスロットと、スロットを閉塞する蓋体と、スロット内に装着されるモジュールに接続可能なケーブルとを備えた構成では、本実施の形態と同様の効果を得ることができる。
【００３０】
また、本実施の形態における第１の筐体１は、本発明における筐体の一例である。また、本実施の形態における開口部２２は、本発明における開口部の一例である。また、本実施の形態における蓋体１１は、本発明における蓋体の一例である。また、本実施の形態におけるリブ１２およびクランプ部１３、またはクランプ部１３は、本発明におけるクランプ部の一例である。
【００３１】
また、クランプ部１３の形状は、本実施の形態の形状に限らない。例えば、ケーブル３１（または端子３１ａ）及びケーブル３２（または端子３２ａ）の外径Ｒ１及びＲ２よりも短い高さ寸法Ｗ１でケーブル３１及び３２を挟持する構成としてもよい（すなわち、Ｒ１，Ｒ２＞Ｗ１の関係）。また、図６に示すように、クランプ部１３の高さ寸法Ｗ３をケーブル３１（または端子３１ａ）及びケーブル３２（または端子３２ａ）の外径Ｒ１及びＲ２よりも長い高さ寸法とし、外径Ｒ１及びＲ２よりも短い高さ寸法Ｗ４を有する係止部をクランプ部１３の先端部に備える構成としてもよい（すなわち、Ｗ３＞Ｒ１，Ｒ２＞Ｗ４の関係）。
【産業上の利用可能性】
【００３２】
本発明の電子機器は、モジュールを装着可能な凹状のスロットを備え、スロット内に装着されたモジュールにケーブルを接続する機器に有用である。その応用例として、例えばノートパソコンなどの情報処理装置がある。
【図面の簡単な説明】
【００３３】
【図１】本実施の形態における電子機器の一例であるノートパソコンの外観を示す斜視図
【図２】電子機器の下面側の構成を示す平面図
【図３】蓋体の斜視図
【図４Ａ】蓋体を備えた第１の筐体１の要部斜視図
【図４Ｂ】図４ＡにおけるＹ−Ｙ部の断面図
【図５Ａ】通信モジュールが未装着でかつ蓋体が閉じている状態の要部断面図
【図５Ｂ】蓋体が開いた状態の要部断面図
【図５Ｃ】通信モジュールが装着された状態の要部断面図
【図５Ｄ】ケーブルが通信モジュールに接続された状態の要部断面図
【図５Ｅ】蓋体がスロットを閉塞している状態の要部断面図
【図６】本実施の形態におけるクランプ部の他の構成例を示す断面図
【符号の説明】
【００３４】
１  第１の筐体
２  第２の筐体
１１  蓋体
１２  リブ
１３  クランプ部
３１，３２  ケーブル
４１  通信モジュール
【図１】
2010079556.tif 000003
【図２】
2010079556.tif 000004
【図３】
2010079556.tif 000005
【図４Ａ】
2010079556.tif 000006
【図４Ｂ】
2010079556.tif 000007
【図５Ａ】
2010079556.tif 000008
【図５Ｂ】
2010079556.tif 000009
【図５Ｃ】
2010079556.tif 000010
【図５Ｄ】
2010079556.tif 000011
【図５Ｅ】
2010079556.tif 000012
【図６】
2010079556.tif 000013